(57)【特許請求の範囲】
【請求項１】
行及び列に編成された光セルの少なくとも１つのマトリクスを有する表示装置に画像の系列を表示する方法であって、
それぞれの光セルはそれぞれの画像について画像の画素を表示し、表示されるそれぞれの画像は、前記マトリクスの光セルの行及び／又は列の数よりも少ない数の画素の行及び／又は列を有し、画像を表示するため、前記マトリクスの光セルの行及び／又は列の数は、表示される画像の画素の行及び／又は列の数に対応し、前記マトリクスの光セルの行及び／又は列は、前記画像の対応する画素のビデオデータでアドレスされ、
前記マトリクスの光セルの少なくとも１つの他の行及び／又は列は、表示されたときに前記画像の解像度を変更しないようにブラックレベルでアドレスされ、
ブラックレベルでアドレスされる光セルの行及び／又は列の数をｍ画像毎に変化させることで、前記表示装置のフレーム周波数が変化し、ｍはランダムに変化する、
ことを特徴とする方法。
【請求項２】
ブラックレベルでアドレスされる光セルの行及び／又は列の数は、それぞれの画像で擬似ランダムに変化する、
請求項１記載の方法。
【請求項３】
ブラックレベルでアドレスされる光セルの行数は、前記系列の少なくとも２つの画像について異なり、この変化は、ビデオデータでアドレスされるセルの後に配置される光セルの行のブラックレベルでのアドレッシングを除くことで得られる、
請求項１又は２記載の方法。
【請求項４】
画像の系列を表示する装置であって、
前記画像の画素を表示するため、行及び列で編成される光セルの少なくとも１つのマトリクスと、それぞれの光セルは画像の画素をそれぞれ表示し、表示されるそれぞれの画像は、前記マトリクスの光セルの行及び／又は列の数よりも少ない数の画素の行及び／又は列を有し、
表示されるべき系列の少なくとも１つの画像を記憶するメモリと、
前記メモリに記憶される前記画像の画素のビデオデータで、表示されるべき画像の画素の行及び／又は列の数に対応する前記マトリクスの光セルの行及び／又は列をアドレスし、表示されたときに前記画像の解像度を変更しないようにブラックレベルで前記マトリクスの光セルの少なくとも１つの他の行及び／又は列をアドレスする制御回路とを有し、
前記制御回路は、前記系列の少なくとも２つの画像についてブラックレベルで異なる数の行及び／又は列の光セルをアドレスし、
前記系列の少なくとも２つの画像についてブラックレベルでアドレスされる光セルの行及び／又は列の数をランダムに変えることで、当該装置のフレーム周波数を変えるために前記制御回路に接続されるランダムノイズ系列発生器を更に有する、
ことを特徴とする装置。
【発明の詳細な説明】
【技術分野】
【０００１】
本発明は、許可されていない画像の複製を防止するのを可能にする、画像系列を表示する方法及び装置に関する。  
本発明は、それぞれの光セルがイメージピクセルを表示することが意図される、行及び列に編成される光セルのマトリクスを有する任意のタイプのビデオプロジェクション又はデジタルディスプレイ装置に適用される。これらの装置は、マトリクスにおける光セルの行及び／又は列の数よりも少ない多数の画素の行及び／又は列を有する画像を表示するために使用される。
【背景技術】
【０００２】
数年にわたり、シネマプロデューサは、それらのフィルムの違法な複製の配布及び流通に苦しんでいる。これらの複製は、カムコーダを使用したシネマの観客席で行われるコピーであることがある。
【０００３】
フィルムの違法なコピーを防止するため、シネマスクリーンのプロジェクタにより表示される画像のフレーム周波数を変化させる方法は、特許出願ＷＯ９９／６７９５０から知られている。一定のフレーム周波数でビデオに投影された画像を違法に捕捉するカムコーダは乱れ、使用不可能な同期していない画像を再生する。著作権の侵害者は、画像の良好な再生を得るために相互に又は自動的にカムコーダを再同期させる必要があり、プロジェクタのフレーム周波数が頻繁に変動する場合、侵害者は、カムコーダを再同期させる時間を有さない。これは、フレーム周波数がランダムに変動する場合に益々彼にとって困難となる。フレーム周波数を変動することは、表示装置におけるライン周波数又はピクセル周波数を変えることで達成される。
【０００４】
フレーム周波数の変化の範囲が制限される。これは、ピクセル周波数の増加又はライン周波数の増加は、表示装置によりサポートされる最大の動作周波数により制限されるためである。
【特許文献１】ＷＯ９９／６７９５０  Ａ２
【特許文献２】ＥＰ１４８７２０１  Ａ
【特許文献３】ＷＯ２００６／０４９６１６  Ａ
【発明の開示】
【発明が解決しようとする課題】
【０００５】
本発明の目的は、異なるやり方でフレーム周波数を変えるのを可能にするソリューションを提案することにある。
【課題を解決するための手段】
【０００６】
本発明によれば、少なくとも１つの連続する画像について、ブラックレベルでアドレス指定される光セルの行及び／又は列の数を変えることで表示される画像のフレーム周波数を変えることが提案されている。
【０００７】
実際に、画像が表示装置のスクリーンで表示されるとき、通常、この画像を表示するために全てのスクリーンのセルが使用されず、スクリーンの幾つかの行及び／又は列は、ブラックレベルでアドレス指定される。たとえば、１６／９フォーマット画像が表示される光セルの４／３フォーマットマトリクスのケースを考える。このフォーマットの違いは、画像の上及び下でのブラックラインの外観をもたらす。本発明によれば、この数は、系列の少なくとも２つの画像について変動する。このブラックラインの数における変化は、好ましくは画像の下部分においてであり、フレーム周波数を変えるのを可能にする。
【０００８】
より詳細には、本発明は、行及び列で編成される光セルの少なくとも１つのマトリクスを有する表示装置に画像の系列を表示する方法に関するものであり、それぞれの光セルは、それぞれの画像について、画素を表示することがそれぞれ意図されており、それぞれ表示される画像は、マトリクスの光セルの行及び／又は列の数よりも少ない、画素の行及び／又は列の数を有する。画像を表示するため、その数が表示されるべき画像の画素の行及び／又は列の数に対応する、マトリクスの光セルの行及び／又は列は、前記画像の対応する画素のビデオデータでアドレスされ、マトリクスの光セルの少なくとも１つの他の行及び／又は列は、ブラックレベルでアドレスされる。本発明によれば、ブラックレベルでアドレスされた光セルの行の数は、前記系列の少なくとも２つの画像について異なる。第一の変形例によれば、ブラックレベルでアドレスされる光セルの列の数は、前記系列の少なくとも２つの画像について異なる。別の変形例によれば、ブラックレベルでアドレスされる光セルの行及び列の数は、前記系列の少なくとも２つの画像について異なる。
【０００９】
したがって、アドレスされる光セルの数は、複数の画像について変化し、これにより、マトリクスアドレスタイムを変えるのが可能となり、このように、これらの画像を表示するために必要とされるフレーム周期が変わる。  
特定の実施の形態によれば、ブラックレベルでアドレスされた光セルの行及び／又は列の数は、系列のそれぞれの画像で変化する。
【００１０】
変形例として、別の実施の形態によれば、ブラックレベルでアドレスされる光セルの行及び／又は列の数は、ｎ画像毎の規則的なインターバルで変化し、ｎは２よりも大きいか、２に等しい。  
変形例として、別の実施の形態によれば、ブラックレベルでアドレスされる光セルの行及び／又は列の数は、ｍ画像毎に変化し、ｍはランダムに変化する。
【００１１】
有利なことに、ブラックレベルでアドレスされる光セルの行及び／又は列の数は、それぞれの画像で擬似ランダムに変化する。  
１つの特定の特徴によれば、ブラックレベルでアドレスされる光セルの行の数は、前記系列の少なくとも２つの画像について異なり、この変化は、ビデオデータでアドレスされた（addressed）セルの後に配置される光セルの行のブラックレベルとのアドレッシングを除くことで得られる。
【００１２】
また、本発明は、画像の系列を表示する装置に関し、以下を有している。前記画像の画素を表示し、行及び列で編成される光セルの少なくとも１つのマトリクス。それぞれの光セルは、画像の画素を表示することがそれぞれ意図されており、それぞれの表示されるべき画像は、マトリクスの光セルの行及び／又は列の数よりも少ない数の画素の行及び／列を有する。表示されるべき系列の少なくとも１つの画像を記憶するメモリ。前記メモリに記憶される前記メモリのピクセルのビデオデータで表示されるべき画像の画素の行及び／列の数に対応して、マトリクスの光セルの行及び／又は列をアドレスし、ブラックレベルでマトリクスの光セルの少なくとも１つの他の行及び／又は列をアドレスする制御回路。
【００１３】
本発明によれば、制御回路は、前記系列の少なくとも２つの画像についてブラックレベルで異なる行数の光セルをアドレスすることができる。第一の変形によれば、制御回路は、前記系列の少なくとも２つの画像について、ブラックレベルで光セルの異なる数の列をアドレスする。別の変形例では、制御回路は、前記系列の少なくとも２つの画像について、ブラックレベルで光セルの異なる数の行及び列をアドレスする。
【００１４】
本発明は、制限することのない例を介して与えられる以下の説明から、添付図面を参照して良好に理解されるであろう。
【発明を実施するための最良の形態】
【００１５】
本発明は、行及び列で編成される光セルのマトリクスを有する表示装置で実現される。マトリクスの光セルの行及び／又は列の数は、表示されるべき画像における画素の行及び／又は列の数よりも大きい。以下の表は、このマトリクスにより表示することができるマトリクスサイズ及び画像サイズの幾つかの例を与える。
【００１６】
【表１】
0005237582.tif 000002
図１は、それぞれ１４００光セルの１０５０行を有するマトリクスの光セルのアドレスを例示している。７２０×１２８０画素のそれぞれの画像は、このマトリクスで表示される。この図は、マトリクスのセルのアドレッシングスペース、及びマトリクスのアドレッシングスペースで表示されるべき画像により占有されるアドレッシングスペースを更に詳細に示している。マトリクスのアドレッシングスペースは、光セルの行及び列の数により表現され、セルの１０５０行の幅とセルの１４００列の長さをもつ矩形により図において表現されている。画像により占有されるアドレッシングスペースは、画素の行数及び列数で表現され、画素の７２０行×画素の１２８０列の矩形により表現される。画像のそれぞれの画素は、マトリクスの光セルにより表示されている。また、図は、それぞれＨ及びＶである、水平同期信号及び垂直同期信号を示しており、これら信号に関して、マトリクスのセルをアドレスするために使用される信号が同期される。また、この図は、信号ＥH及びＥVを表しており、この信号は、マトリクスのセルが表示されるべきビデオ画像のビデオデータ（又は画素）でアドレスされる期間を示している。より詳細には、マトリクスのセルは、２つの信号ＥH及びＥVがハイ状態にあるときに表示されるように、画像のビデオデータでアドレスされ、さもなければ、ブラックレベルに対応するビデオレベルでアドレスされる。用語「ブラックレベル“black  level”」は、一般にゼロルミナンスの画素又は最小のルミナンスの画素である、最小の入力信号によりアドレスされる画素に対応する画像信号レベルを意味するものと理解される。マトリクスのセルがブラックレベルでアドレスされる期間は、垂直ブランキング期間（ロウ状態で信号ＥV）及び水平ブランキング期間（ロウ状態で信号ＥH）と従来呼ばれる。
【００１７】
図１がより詳細に記載される場合、水平同期信号Ｈは、期間の開始でパルスＰHを有する周期信号である。それぞれの周期は、画像のラインがアドレスされるアクティブフェーズと呼ばれるディスプレイフェーズと、アクティブフェーズの何れかの側に配置される２つの水平ブランキング期間を有する。パルスＰHは、アクティブフェーズの前に位置される水平ブランキング期間の開始に位置される。図１の例では、２つの水平ブランキング期間は、インターバル［０，ｔH1］及び［ｔH2，ｔH3］の間で実行され、アクティブフェーズは、タイムインターバル［ｔH1，ｔH2］の間に適用される。アクティブフェーズ［ｔH1，ｔH2］の間、マトリクスの１２８０のセルは、イメージラインの１２８０セルを表示するためにアドレスされる。マトリクスのセルの行の１２０（＝１４００−１２８０）の他のセルは、ブラックレベルでアドレスされる。
【００１８】
同様に、垂直同期信号Ｖは周期信号であり、これら周期のそれぞれは、全体の画像がマトリクスでアドレスされるアクティブフェーズと呼ばれるディスプレイフェーズと、このアクティブフェーズの何れかの側に配置される２つの垂直ブランキングフェーズを有する。図２の例では、２つの垂直ブランキングフェーズは、インターバル［０，ｔV1］及び［ｔV2，ｔV3］の間で実行され、アクティブフェーズは、タイムインターバル［ｔV1，ｔV2］の間に適用される。これは明確さのために図示されていないが、信号Ｖのそれぞれの期間は、信号Ｈの１０５０期間を有する。アクティブフェーズ［ｔV1，ｔV2］の間、マトリクスの７２０行は、画像の７２０ラインを表示するためにアドレスされる。マトリクスでは、セルの３３０（＝１０５０−７２０）の他の行は、ブラックレベルでアドレスされる。
【００１９】
先に説明されたように、本発明は、画像表示装置のフレーム周波数を変える新たな方法を提案する。フレーム周波数ＦＴは、以下の式により定義することができる。
ＦＴ＝（ピクセル周波数）／（列数×アドレスされるセルの行数）
本発明によれば、マトリクスでアドレスされるセルの行及び／又は列の数を変化させることで、より詳細には、表示される画像の解像度を変更しないように、ブラックレベルでアドレスされるセルの行及び／又は列の数を変化させることで、フレーム周波数を変えることが提案される。このため、光セルの制御信号の垂直ブランキングゾーン及び／又は水平ブランキングゾーンのサイズが変更される。
【００２０】
以下の表は、４４Ｈｚと５２Ｈｚとの間のフレーム周波数を得るため、マトリクスでアドレスされるセルの行の全体数を示す。これらの値を得るため、ピクセル周波数は一定であって、６５ＭＨｚに等しいものとされている。
【００２１】
【表２】
0005237582.tif 000003
この表において、フレーム周波数のバリエーションのインターバルは、１Ｈｚであり、バリエーションのレンジは、［４４Ｈｚ，５２Ｈｚ］である。
【００２２】
別の表が以下に与えられ、ここではフレーム周波数のバリエーションインターバル（０．５Ｈｚ）及びバリエーションレンジ［４６Ｈｚ，５０Ｈｚ］は小さい。
【００２３】
【表３】
0005237582.tif 000004
７２０×１２８０画素の画像を表示するためにマトリクスの１０５０行をアドレスすることは、画像のビデオデータでマトリクスの７２０行をアドレスし、ブラックレベルで３３０行をアドレスすることになる。
【００２４】
同様に、７２０×１２８０画素の画像を表示するためにマトリクスの９６３行をアドレスすることは、画像のビデオデータでマトリクスの７２０行をアドレスし、ブラックレベルで２４３行をアドレスすることになる。
【００２５】
一般的なルールとして、７２０×１２８０画素の画像を表示するためにマトリクスのＸ行をアドレスすることは、画像のビデオデータでマトリクスの７２０行をアドレスし、ブラックレベルでＸ−７２０行をアドレスすることになる。
【００２６】
図２は、図１と比較して、マトリクスのセルの１０５０行がアドレスされる第一のケース（アクティブフェーズの後に位置される垂直ブランキング期間の終わりが瞬間ｔV3に対応する）、マトリクスのセルの９６３行がアドレスされる第二のケース（アクティブフェーズの後に位置される垂直ブランキング期間の終わりが瞬間ｔ’V3に対応する）、及びマトリクスのセルの８８０行がアドレスされる第三のケース（アクティブフェーズの後に位置される垂直ブランキング期間の終わりが瞬間ｔ’’V3に対応する）を示している。
【００２７】
これは、ここでは示されていないが、ブラックレベルでアドレスされるセルの行数を変える代わりに、ブラックレベルでアドレスされるセルの列数を変えることも可能である。
【００２８】
別の実施の形態によれば、あるレベルでアドレスされる行数及び列数の両方を変えることも可能である。
【００２９】
１つの特定の実施の形態によれば、ブラックレベルでアドレスされる光セルの行数及び／又は列数は、系列のそれぞれの画像で変化する。この行及び／又は列の数は、たとえば第一の画像についてアドレスされる１０５０行、次の画像についてアドレスされる８８９行、次いでアドレスされる１０５０行、次いでアドレスされる８８９行等といった、２つの数の間で交互に変化することができる。この数は、たとえば１０５０行、次いで８８９行、次いで９６３行、次いで１００５行等といった、それぞれの画像で異なることができる。
【００３０】
変形として、別の実施の形態によれば、ブラックレベルでアドレスされる光セルの行数及び／又は列数は、ｎは２よりも大きいか又は２に等しく、ｎ画像毎に規則的なインターバルで変化する。  
変形として、別の実施の形態によれば、ブラックレベルでアドレスされる光セルの行及び／又は列の数は、ｍがランダムに変化するものとして、ｍ画像毎に変化する。  
有利なことに、ブラックレベルでアドレスされる光セルの行数及び／又は列数は、それぞれの画像で擬似ランダムに変動する。
【００３１】
特定の特徴によれば、数が変化するブラックレベルでアドレスされる光セルの行及び／列は、ビデオデータでアドレスされるセルの後にアドレスされるブラックレベルでアドレスされる光セルの行及び／又は列である。  
明らかに、このことは前の表では明らかではないが、非整数のフレーム周波数の値を発生することが可能である。行数のみが本方法を実現するための整数の数である。
【００３２】
図３は、アドレスされるセルの行数が系列のそれぞれの画像で変化される、本発明に係る表示装置のセルをアドレスする第一の方法を説明するフローチャートである。ステップ１００では、系列のそれぞれ現在の画像Ｉについて、アドレスされるべきセルの行数ＮＬ（Ｉ）が計算される。この数は、固定された行数ＮＬrefと可変の行数ΔＬ（Ｉ）の合計に等しい。可変の数ΔＬ（Ｉ）は、先行する画像Ｉ−１について使用されるそのΔＬ（Ｉ−１）とは異なる。先に示されたように、数ΔＬは、それぞれの画像で擬似ランダムに変化することができる。次いで、マトリクスのセルの行の数ＮＬ（Ｉ）は、現在の画像Ｉを表示するためにアドレスされる（ステップ１１０）。画像Ｉが表示されるべき系列の最後の画像ではない場合（ステップ１２０）、本方法は、次の画像Ｉ＋１に進み（ステップ１３０）、先行するステップは画像Ｉ＋１について再び始動される。数ＮＬrefは最小の数であり、たとえば８８９行に等しい。アドレス可能な行の最大の数が図２に示されるように１０５０行に等しい場合、可変の数ΔＬ（Ｉ）は、たとえば０と１６１（＝１０５０−８８９）の間である。
【００３３】
図４は、系列のそれぞれの画像により、アドレスされるセルの列の数が変化される、本発明に係る表示装置のセルをアドレスする第一の方法を例示するフローチャートである。ステップ２００で、系列のそれぞれの現在の画像Ｉについて、アドレスされるべきセルの劣の数ＮＣ（Ｉ）が計算される。この数は、列の固定された数ＮＣrefと列の可変の数ΔＣ（Ｉ）の合計に等しい。可変の数ΔＣ（Ｉ）は、先行する画像Ｉ−１について使用されるそのΔＣ（Ｉ−１）とは異なる。先に示されたように、数ΔＣは、それぞれの画像で擬似ランダムに変化する。マトリクスのセルの列の数ＮＣ（Ｉ）は、現在の画像Ｉを表示するためにアドレスされる（ステップ２１０）。画像Ｉが表示されるべき系列の最後の画像ではない場合（ステップ２２０）、本方法は、次の画像Ｉ＋１に進み（ステップ２３０）、先行するステップが画像Ｉ＋１について再び始動される。数ＮＣrefは最小の数であり、たとえば１３４０列に等しい。可変の数ΔＣ（Ｉ）は、アドレス可能な列の最大の数が図２に示されるように１４００列に等しい場合に、たとえば０と６０（＝１４００−１３４０）の間である。
【００３４】
さらに、図５は、系列のそれぞれの画像により、アドレスされるセルの行及び列の数が変化される、本発明に係る表示装置のセルをアドレスする第一の方法を例示するフローチャートである。ステップ３００であ、系列のそれぞれ現在の画像Ｉについて、アドレスされるセルの行数ＮＬ（Ｉ）及びセルの列数ＮＣ（Ｉ）が計算される。数ＮＬ（Ｉ）は、固定された行数ＮＬrefと可変の行数ΔＬ（Ｉ）の合計に等しい。可変の数ΔＬ（Ｉ）は、先行する画像Ｉ−１について使用されるそのΔＬ（Ｉ−１）とは異なる。数ＮＣ（Ｉ）は、固定された列数ＮＣrefと可変の列数ΔＣ（Ｉ）の合計に等しい。可変の数ΔＣ（Ｉ）は、先行する画像Ｉ−１について使用されるそのΔＣ（Ｉ−１）とは異なる。先に示されたように、数ΔＣ及びΔＩは、それぞれの画像で擬似ランダムに変化することができる。マトリクスのセルの行数ＮＬ（Ｉ）数及び列数ＮＣ（Ｉ）は、現在の画像Ｉを表示するためにアドレス指定される（ステップ３１０）。画像Ｉが表示されるべき系列の最後の画像ではない場合（ステップ３２０）、本方法は、次の画像Ｉ＋１に進み（ステップ３３０）、先行するステップは、画像Ｉ＋１について再び始動される。
【００３５】
本発明の方法は、図６に例示されるような表示装置で実現される。  
図３で表現される表示装置１０は、以下を有する。行及び列で編成される光セルのマトリクス１１。それぞれのセルはイメージピクセルを表示することが意図されており、マトリクスは、たとえば１０５０×１４００光セルを有し、たとえば液晶バルブ又はマイクロミラーバルブである。ビデオストリームに含まれる少なくとも１つの画像を記憶することができるビデオストリームを受けるメモリ１２。マトリクス１１及びメモリ１２を制御する制御回路１３。この回路は、メモリ１２に記憶される画像の画素のビデオレベルでマトリクスのセルのある部分をアドレスするのを制御し、ブラックレベルでセルの別の部分をアドレスするのを制御する。
【００３６】
先に記載された本発明の方法、すなわち画像の系列を表示しつつ、マトリクスでアドレスされる光セルの数を変化させる方法は、制御回路１３により実現される。制御１３は、次いで、光セルのマトリクスの同期信号、すなわち信号Ｈ及び／又はＶを変えるために設計される。変化される同期信号Ｅ及びＨは、制御回路１３により生成されるか、又は外部回路により生成される。
【００３７】
図７は、図３における装置１０のエレメントに加えて、制御回路１３に接続される擬似ランダム系列発生器１４を有する表示装置１０’を表している。発生器１４は、光セルのマトリクスの同期信号すなわち信号Ｈ及び／又はＶを擬似ランダムに変更するため、制御回路１３により使用される擬似ランダムノイズ系列を生成する。  
明らかに、ランダムノイズ系列発生器１４は、制御回路１３に組み込むことができる。また、表示装置１０又は１０’の外部とすることもできる。
【００３８】
図８は、暗号化及び圧縮されたビットストリームの形式で受信されたビデオストリームを処理することができるディスプレイシステムを表している。このシステムは、デコーダ２０に接続される図４に係る表示装置１０’を有する。このデコーダ２０は、予め決定された周波数を有する電気信号を伝送する周波数シンセサイザ２１、及び周波数シンセサイザ２１から生じる信号から同期信号Ｅ及びＨを伝送する同期発生器２２を有する。デコーダ１６は、暗号化された、圧縮されたビデオストリームをデコードするため、復号回路２３及び伸張回路１４を有する。伸張回路２４は、周波数シンセサイザ２１により伝送された信号により同期され、表示装置１０又は１０’に表示される画像を表すビデオ信号を伝送する。図１で表されるエレメントのそれぞれは、当業者にとって知られている。したがって、ここでは詳細に説明されない。さらに、これらの図で記載される様々なエレメントは、物理的なユニットを分離するために必ずしも対応していない。
【００３９】
明らかに、本発明は、先に記載された実施の形態に制限されない。特に、当業者は、本発明の方法を異なる数の光セルをもつ光セルのマトリクスを有する表示装置、又は、たとえば従来デジタルカメラで使用されるプロジェクタ３−ＤＬＰ，３ＬＣＤ又は３−ＬＣＯＳのようなそれぞれの色について１つのマトリクスといった、セルの幾つかのマトリクスを有する表示装置に適用することができる。これは記載されていないが、本発明は、プラズマセル又はＬＣＯＳ、ＯＬＥＤ又はＳＥＤバルブのマトリクスを有する表示装置に適用することができる。
【００４０】
本発明は、説明で示されたマトリクス及びイメージフォーマットに制限されない。本発明は、表示される画像における画素の行及び／又は列よりも多数の行及び／又は列のセルを有するセルのマトリクスを有する表示装置に適用することができる。
【図面の簡単な説明】
【００４１】
【図１】公知のアドレッシング方法に係る表示装置の光セルのマトリクスのアドレッシング空間を表す図である。
【図２】図１に比較して、本発明に係る表示装置の光セルのマトリクスのアドレッシング空間を表す図である。
【図３】表示されるべき系列の少なくとも２つの画像について、アドレスされるセルの行数が異なる本発明の方法の第一の実施の形態を表すフローチャートである。
【図４】表示されるべき系列の少なくとも２つの画像について、アドレスされるセルの列数が異なる本発明の方法の第二の実施の形態を表すフローチャートである。
【図５】表示されるべき系列の少なくとも２つの画像について、アドレスされるセルの行及び列の数が異なる本発明の方法の第三の実施の形態を表すフローチャートである。
【図６】本発明の方法を実現する第一の表示装置を表す図である。
【図７】本発明の方法を実現する第二の表示装置を表す図である。
【図８】暗号化及び圧縮されたビデオストリームを表示可能な、本発明に係るディスプレイシステムを表す図である。
【符号の説明】
【００４２】
１０，１０’：表示装置
１１：マトリクス
１２：メモリ
１３：制御回路（ＣＴＲＬ）
１４：擬似ランダムジェネレータ
２０：デコーダ
２１：周波数シンセサイザ
２２：同期発生器
２３：復号回路
２４：伸張回路
【図１】
0005237582.tif 000005
【図２】
0005237582.tif 000006
【図３】
0005237582.tif 000007
【図４】
0005237582.tif 000008
【図５】
0005237582.tif 000009
【図６】
0005237582.tif 000010
【図７】
0005237582.tif 000011
【図８】
0005237582.tif 000012